(57)【要約】【課題】  画像形成時に断裁マークが用紙上に残ることの無い、高品質の画像形成装置を提供すること。【解決手段】  画像デ−タに基づき用紙に画像形成する画像形成部と、画像形成された用紙を積載する排紙トレイと、画像形成を制御する制御部と、を有する画像形成装置において、前記制御部は、一連の画像形成される用紙における、画像形成開始ページのみ又は最終画像形成ページのみに画像データに断裁マ−クを付与した合成画像に基づく画像形成を行うように制御することを特徴とする画像形成装置。【選択図】        図６
2006315231.tif 000002
【特許請求の範囲】
【請求項１】
ジョブの画像デ−タに基づき用紙に画像形成する画像形成部と、画像形成された用紙を積載する排紙トレイと、画像形成を制御する制御手段と、を有する画像形成装置において、
前記制御手段は、ジョブの画像形成開始ページのみ又は最終画像形成ページのみに画像データに断裁マ−クを付与した合成画像に基づく画像形成を行うように制御することを特徴とする画像形成装置。
【請求項２】
用紙の両面に画像形成する両面モ−ドと用紙の片面に画像形成する片面モ−ドとを有し、ジョブの画像データのページ数をＮとしたとき、画像形成が前記両面モ−ドで行われ、画像形成の順が１ペ−ジ目からＮペ−ジ目の順で行われる場合、
前記制御手段は、ジョブの最終画像形成ページとなるＮペ−ジ目のみに断裁マークを付与するように制御することを特徴とする請求項１に記載の画像形成装置。
【請求項３】
ページ数Ｎが偶数であるとき、最終画像形成ページはＮページ目であることを特徴とする請求項２に記載の画像形成装置。
【請求項４】
ページ数Ｎが奇数であるとき、始めに画像形成する用紙の一方の面を第１面、他方の面を第２面とすると、前記制御手段は、第１面がＮページ目となる用紙の第２面に（Ｎ＋１）ペ−ジ目となるページを形成して最終画像形成ページとし、（Ｎ＋１）ペ−ジ目のみに白紙画像デ−タと断裁マークとを付与した合成画像に基づく画像形成を行うように制御することを特徴とする請求項２に記載の画像形成装置。
【請求項５】
用紙の両面に画像形成する両面モ−ドと用紙の片面に画像形成する片面モ−ドとを有し、画像データのページ数をＮとしたとき、画像形成が前記両面モ−ドで行われ、画像形成の順がＮペ−ジ目から１ペ−ジ目の順で行われる場合、
前記制御手段は、ジョブの最終画像形成ページとなる１ページ目のみに断裁マークを付与するように制御することを特徴とする請求項１に記載の画像形成装置。
【請求項６】
ページ数Ｎが偶数であるとき、画像形成開始ページはＮページ目であることを特徴とする請求項５に記載の画像形成装置。
【請求項７】
ページ数Ｎが奇数であるとき、始めに画像形成する用紙の一方の面を第１面、他方の面を第２面とすると、前記制御手段は、（Ｎ＋１）ペ−ジ目となるページを形成して画像形成開始ページとし、（Ｎ＋１）ペ−ジ目に、白紙画像デ−タに基づく画像形成を行うように制御することを特徴とする請求項５に記載の画像形成装置。
【請求項８】
用紙の両面に画像形成する両面モ−ドと用紙の片面に画像形成する片面モ−ドとを有し、画像データのページ数をＮとしたとき、画像形成が前記片面モ−ドで行われ、画像形成の順がＮペ−ジ目から１ペ−ジ目の順で行われる場合、
前記制御手段は、最終画像形成ページのみに断裁マークを付与するように制御することを特徴とする請求項１に記載の画像形成装置。
【請求項９】
用紙の両面に画像形成する両面モ−ドと用紙の片面に画像形成する片面モ−ドとを有し、画像データのページ数をＮとしたとき、画像形成が前記片面モ−ドで行われ、画像形成の順が１ペ−ジ目からＮペ−ジ目の順で行われる場合、
前記制御手段は、画像形成開始ページのみに断裁マークを付与するように制御することを特徴とする請求項１に記載の画像形成装置。
【請求項１０】
ジョブの画像デ−タに基づき用紙に画像形成する画像形成部と、画像形成された用紙を積載する排紙トレイと、前記排紙トレイ上に前記用紙をシフトして積載するためのシフト手段と、ジョブの画像形成条件を設定する操作部と、画像形成を制御する制御手段と、前記シフト手段を動作させるソートモードと、用紙の両面に画像形成する両面モ−ドと用紙の片面に画像形成する片面モ−ドと、を有する画像形成装置において、
前記操作部は、画像形成条件として断裁可能枚数を入力する断裁可能枚数入力部を有し、
画像データのページ数をＮとしたとき、画像形成順がＮペ−ジ目から１ペ−ジ目の順で行われる場合、
前記制御手段は、ジョブの画像形成枚数が入力された断裁可能枚数以内であるときには、最終画像形成ページのみに画像データに断裁マークを付与した合成画像に基づく画像形成を行うように制御し、
ジョブの画像形成枚数が入力された断裁可能枚数を超えているときには、前記ソートモードを選択し、用紙のシフト排紙枚数を断裁可能枚数以内の枚数に設定して前記シフト手段を動作させ、用紙をシフト排紙枚数毎の用紙束にシフトして排紙トレイ上に積載し、シフトされる用紙束毎の最終画像形成ページのみに、画像データに断裁マークを付与した合成画像に基づく画像形成を行うように制御することを特徴とする画像形成装置。
【請求項１１】
ジョブの画像デ−タに基づき用紙に画像形成する画像形成部と、画像形成された用紙を積載する排紙トレイと、前記排紙トレイ上に前記用紙をシフトして積載するためのシフト手段と、ジョブの画像形成条件を設定する操作部と、画像形成を制御する制御手段と、前記シフト手段を動作させるソートモードと、を有する画像形成装置において、
用紙の両面に画像形成する両面モ−ドと用紙の片面に画像形成する片面モ−ドとを有し、
前記操作部は、画像形成条件として断裁可能枚数を入力する断裁可能枚数入力部を有し、
画像形成が前記片面モ−ドで行われ、かつ、画像データのページ数をＮとしたとき、画像形成の順が１ペ−ジ目からＮペ−ジ目の順で行われる場合、
前記制御手段は、ジョブの画像形成枚数が入力された断裁可能枚数以内であるときには、画像形成開始ページのみに画像データに断裁マ−クを付与した合成画像に基づく画像形成を行うように制御し、
ジョブの画像形成枚数が入力された断裁可能枚数を超えているときには、前記ソートモードを選択し、用紙のシフト排紙枚数を断裁可能枚数以内の枚数に設定して前記シフト手段を動作させ、用紙をシフト排紙枚数毎の用紙束にシフトして排紙トレイ上に積載し、シフトして排紙される複数のそれぞれの用紙束毎の画像形成開始ページのみに、画像データに断裁マークを付与した合成画像に基づく画像形成を行うように制御することを特徴とする画像形成装置。
【請求項１２】
前記制御手段は、ジョブが複数の部単位のグループで構成されているときには前記ソートモードを選択し、
部単位のグループそれぞれの枚数が断裁可能枚数以内であるときには、用紙を部単位のグループ毎にシフト排紙させ、それぞれの部単位のグループにおける最終画像形成ページのみに画像データに断裁マ−クを付与した合成画像に基づく画像形成を行うように制御し、
部単位のグループそれぞれの画像形成枚数が断裁可能枚数を超えているときには、用紙のシフト排紙枚数を断裁可能枚数以内の枚数に設定して前記シフト手段を動作させ、用紙をシフト排紙枚数毎の用紙束にシフトして排紙トレイ上に積載し、シフトして積載されるそれぞれの部単位のグループの用紙束毎の最終画像形成ページのみに画像データに断裁マ−クを付与した合成画像に基づく画像形成を行うように制御することを特徴とする請求項１０に記載の画像形成装置。
【請求項１３】
前記制御手段は、ジョブが複数の部単位のグループで構成されているときには前記ソートモードを選択し、
部単位のグループそれぞれの枚数が断裁可能枚数以内であるときには、用紙を部単位のグループ毎にシフト排紙させ、それぞれの部単位のグループにおける画像形成開始ページのみに画像データに断裁マークを付与した合成画像に基づく画像形成を行うように制御し、
部単位のグループそれぞれの画像形成枚数が断裁可能枚数を超えているときには、用紙のシフト排紙枚数を断裁可能枚数以内の枚数に設定して前記シフト手段を動作させ、用紙をシフト排紙枚数毎の用紙束にシフトして排紙トレイ上に積載し、シフトして排紙されるそれぞれの部単位のグループの用紙束毎の画像形成開始ページのみに画像データに断裁マークを付与した合成画像に基づく画像形成を行うように制御することを特徴とする請求項１１に記載の画像形成装置。
【請求項１４】
前記制御手段は、ジョブが複数のページ単位のグループで構成されているときには前記ソートモードを選択し、
ページ単位のグループそれぞれの枚数が断裁可能枚数以内であるときには、用紙をページ単位のグループ毎にシフト排紙させ、それぞれのページ単位のグループにおける、最終画像形成ページのみに画像データに断裁マークを付与した合成画像に基づく画像形成を行うように制御し、
ページ単位のグループそれぞれの画像形成枚数が断裁可能枚数を超えているときには、用紙のシフト排紙枚数を断裁可能枚数以内の枚数に設定して前記シフト手段を動作させ、用紙をシフト排紙枚数毎の用紙束にシフトして排紙トレイ上に積載し、シフトして積載されるそれぞれのページ単位のグループの用紙束毎の最終画像形成ページのみに画像データに断裁マークを付与した合成画像に基づく画像形成を行うように制御することを特徴とする請求項１０に記載の画像形成装置。
【請求項１５】
前記制御手段は、ジョブが複数のページ単位のグループで構成されているときには前記ソートモードを選択し、
ページ単位のグループそれぞれの枚数が断裁可能枚数以内であるときには、用紙をページ単位のグループ毎にシフト排紙させ、それぞれのページ単位のグループにおける、画像形成開始ページのみに画像データに断裁マークを付与した合成画像に基づく画像形成を行うように制御し、
ページ単位のグループそれぞれの画像形成枚数が断裁可能枚数を超えているときには、用紙のシフト排紙枚数を断裁可能枚数以内の枚数に設定して前記シフト手段を動作させ、用紙をシフト排紙枚数毎の用紙束にシフトして排紙トレイ上に積載し、シフトして積載されるそれぞれのページ単位のグループの用紙束毎の画像形成開始ページのみに画像データに断裁マークを付与した合成画像に基づく画像形成を行うように制御することを特徴とする請求項１１に記載の画像形成装置。
【請求項１６】
ジョブの画像デ−タに基づき用紙に画像形成する画像形成部と、画像形成された用紙を積載する排紙トレイと、画像形成を制御する制御手段と、を有する画像形成装置において、
画像形成される用紙に表紙又は裏表紙を挿入するインターシートモードを有し、
前記インターシートモードで、前記排紙トレイ上に積載された画像形成済みの用紙束に挿入される、前記表紙のみ又は前記裏表紙のみに断裁マークが付与されるように、前記制御手段により、制御されることを特徴とする画像形成装置。
【請求項１７】
画像形成が電子写真方式により行われ、定着手段により加熱定着を行う工程を有することを特徴とする請求項１乃至１６のいずれか１項に記載の画像形成装置。
【発明の詳細な説明】
【技術分野】
【０００１】
本発明は、画像データに断裁マークを付与して画像出力を行う画像形成装置に関する。
【背景技術】
【０００２】
近年、画像形成装置等では、画像形成する画像データに断裁位置を示す断裁マークを付与して用紙に画像形成することがある。これにより、画像形成後に行われる、断裁機による用紙の断裁作業が容易になり、作業効率を向上することができる。
【０００３】
断裁マークは、通常は全てのページに、即ち、用紙の両面に画像形成する場合には両面に断裁マークが付与される（例えば、特許文献１参照）。特許文献１は、名刺、はがき等の単票の１枚の用紙に印刷する文書作成装置が開示されている。具体的には、用紙の１辺を印刷時の基準辺としてそのまま使用し、切断作業の回数を減少させるという技術である。特許文献１に記載された文書作成装置では、断裁マークは用紙の両面のページに自動的に印刷される。
【０００４】
然るに、用紙の両面に断裁マークが印刷される場合、断裁位置を決定する断裁マークの位置関係が両面の表裏においてずれていて一致していないと、用紙の一方の面に印刷された断裁マークに合わせて断裁を行ったときに、他方の面に印刷された断裁マークが残ってしまうことがある。用紙上に画像データ以外の画像である不要な断裁マークが残ることは画像品質を低下させる問題となる。
【０００５】
また、特許文献２には、印刷の分野、特に印刷原版を作成するためにデザイン図形を多面で面付け処理を行う面付け方法およびそれを適用した帳票類デザインシステムに関して、位置合わせマークのパラメータを設定する設定工程を有する面付け方法が開示されている。具体的な技術内容としては、トンボ設定画面において、表裏の何れにトンボマ−クを付与するかのタイプを設定することが開示されている。この技術においてはユ−ザ−がトンボマ−クを付与するか否かを選択して指定する必要があり、煩わしい工程となっている。更に、表裏両面の何れかの面にトンボマ−クを付与するようになっており、複数ペ−ジからなる場合は、それぞれの用紙毎にトンボマ−クが付与されるようになっている。
【特許文献１】特開平９−１０９５０５号公報
【特許文献２】特開平８−２４１３９９号公報
【発明の開示】
【発明が解決しようとする課題】
【０００６】
本発明者等の検討によれば、電子写真方式により画像形成を行う画像形成装置において断裁マ−クを付与する場合には、特異な問題が発生することが判明した。即ち、電子写真方式においては、画像形成工程の中に加熱と加圧によりトナ−像を用紙に定着する加熱加圧定着工程が存在がする。この加熱加圧定着工程において用紙が加熱されると含有されている水分が蒸発すると共に用紙を構成する繊維組織が柔軟になることにより、加熱加圧定着工程後においては、用紙が収縮するという現象が発生する。
【０００７】
用紙の両面に画像形成する場合、第１面に所定サイズの画像形成を行っても、前記用紙の収縮の現象により、用紙および形成された画像サイズは若干縮小されたサイズとなってしまう。次の第２面の画像形成においては、縮小されたサイズの画像を有する縮小されたサイズの第１面の裏面となる第２面に同様の条件で画像形成がなされる。この場合、前述した用紙の収縮のため、第１面の画像サイズの方が第２面の画像サイズより小さくなってしまう。従って、第１面と第２面における画像の位置はずれた状態となってしまう。形成される画像が断裁マ−クである場合には、表裏の同一位置に画像形成しようとしても、定着工程における用紙の収縮により、本質的に位置ずれを発生してしまう。表裏の位置ずれを伴う断裁マ−クの何れかを基準にして断裁処理を行うと、基準とされなかった面の断裁マ−クが断裁後の用紙に残ることがあり、画像の品質を低下してしまう。
【０００８】
また、電子写真方式により複数枚の用紙に画像形成する場合は、搬送ロ−ラにより搬送される用紙に画像を転写する転写工程を有しており、それぞれの用紙の搬送性のバラツキや転写イミングのバラツキは避けられず、必ずしもそれぞれの用紙の同じ位置に画像形成することは困難である。従って、複数枚のそれぞれの用紙における画像形成の位置にはバラツキが発生してしまう。形成される画像が断裁マ−クである場合には、それぞれの用紙の同一位置に画像形成しようとしても、前述のバラツキにより、本質的に位置ずれを発生してしまう。それぞれの用紙に位置ずれを伴う断裁マ−クが付与されている場合には、最状面の用紙の断裁マ−クを基準にして断裁処理を行うと、断裁後に最上面以外の用紙に断裁マ−クが残ることがあり、画像の品質を低下してしまう。
【０００９】
本発明の目的は、断裁マ−クを付与した画像形成を行った後に断裁する場合において、用紙の表裏や用紙間において断裁マ−クの位置ずれに起因して断裁後に断裁マークが用紙上に残るという問題を解消し、高品質の画像を得られる画像形成装置を提供することにある。
【課題を解決するための手段】
【００１０】
本発明の目的は、下記の構成により達成することが出来る。
（１）ジョブの画像デ−タに基づき用紙に画像形成する画像形成部と、画像形成された用紙を積載する排紙トレイと、画像形成を制御する制御手段と、を有する画像形成装置において、
前記制御手段は、ジョブの画像形成開始ページのみ又は最終画像形成ページのみに画像データに断裁マ−クを付与した合成画像に基づく画像形成を行うように制御することを特徴とする画像形成装置。
（２）用紙の両面に画像形成する両面モ−ドと用紙の片面に画像形成する片面モ−ドとを有し、ジョブの画像データのページ数をＮとしたとき、画像形成が前記両面モ−ドで行われ、画像形成の順が１ペ−ジ目からＮペ−ジ目の順で行われる場合、
前記制御手段は、ジョブの最終画像形成ページとなるＮペ−ジ目のみに断裁マークを付与するように制御することを特徴とする（１）に記載の画像形成装置。
（３）ページ数Ｎが偶数であるとき、最終画像形成ページはＮページ目であることを特徴とする（２）に記載の画像形成装置。
（４）ページ数Ｎが奇数であるとき、始めに画像形成する用紙の一方の面を第１面、他方の面を第２面とすると、前記制御手段は、第１面がＮページ目となる用紙の第２面に（Ｎ＋１）ペ−ジ目となるページを形成して最終画像形成ページとし、（Ｎ＋１）ペ−ジ目のみに白紙画像デ−タと断裁マークとを付与した合成画像に基づく画像形成を行うように制御することを特徴とする（２）に記載の画像形成装置。
（５）用紙の両面に画像形成する両面モ−ドと用紙の片面に画像形成する片面モ−ドとを有し、画像データのページ数をＮとしたとき、画像形成が前記両面モ−ドで行われ、画像形成の順がＮペ−ジ目から１ペ−ジ目の順で行われる場合、
前記制御手段は、ジョブの最終画像形成ページとなる１ページ目のみに断裁マークを付与するように制御することを特徴とする（１）に記載の画像形成装置。
（６）ページ数Ｎが偶数であるとき、画像形成開始ページはＮページ目であることを特徴とする（５）に記載の画像形成装置。
（７）ページ数Ｎが奇数であるとき、始めに画像形成する用紙の一方の面を第１面、他方の面を第２面とすると、前記制御手段は、（Ｎ＋１）ペ−ジ目となるページを形成して画像形成開始ページとし、（Ｎ＋１）ペ−ジ目に、白紙画像デ−タに基づく画像形成を行うように制御することを特徴とする（５）に記載の画像形成装置。
（８）用紙の両面に画像形成する両面モ−ドと用紙の片面に画像形成する片面モ−ドとを有し、画像データのページ数をＮとしたとき、画像形成が前記片面モ−ドで行われ、画像形成の順がＮペ−ジ目から１ペ−ジ目の順で行われる場合、
前記制御手段は、最終画像形成ページのみに断裁マークを付与するように制御することを特徴とする（１）に記載の画像形成装置。
（９）用紙の両面に画像形成する両面モ−ドと用紙の片面に画像形成する片面モ−ドとを有し、画像データのページ数をＮとしたとき、画像形成が前記片面モ−ドで行われ、画像形成の順が１ペ−ジ目からＮペ−ジ目の順で行われる場合、
前記制御手段は、画像形成開始ページのみに断裁マークを付与するように制御することを特徴とする（１）に記載の画像形成装置。
（１０）ジョブの画像デ−タに基づき用紙に画像形成する画像形成部と、画像形成された用紙を積載する排紙トレイと、前記排紙トレイ上に前記用紙をシフトして積載するためのシフト手段と、ジョブの画像形成条件を設定する操作部と、画像形成を制御する制御手段と、前記シフト手段を動作させるソートモードと、用紙の両面に画像形成する両面モ−ドと用紙の片面に画像形成する片面モ−ドと、を有する画像形成装置において、
前記操作部は、画像形成条件として断裁可能枚数を入力する断裁可能枚数入力部を有し、
画像データのページ数をＮとしたとき、画像形成順がＮペ−ジ目から１ペ−ジ目の順で行われる場合、
前記制御手段は、ジョブの画像形成枚数が入力された断裁可能枚数以内であるときには、最終画像形成ページのみに画像データに断裁マークを付与した合成画像に基づく画像形成を行うように制御し、
ジョブの画像形成枚数が入力された断裁可能枚数を超えているときには、前記ソートモードを選択し、用紙のシフト排紙枚数を断裁可能枚数以内の枚数に設定して前記シフト手段を動作させ、用紙をシフト排紙枚数毎の用紙束にシフトして排紙トレイ上に積載し、シフトされる用紙束毎の最終画像形成ページのみに、画像データに断裁マークを付与した合成画像に基づく画像形成を行うように制御することを特徴とする画像形成装置。
（１１）ジョブの画像デ−タに基づき用紙に画像形成する画像形成部と、画像形成された用紙を積載する排紙トレイと、前記排紙トレイ上に前記用紙をシフトして積載するためのシフト手段と、ジョブの画像形成条件を設定する操作部と、画像形成を制御する制御手段と、前記シフト手段を動作させるソートモードと、を有する画像形成装置において、
用紙の両面に画像形成する両面モ−ドと用紙の片面に画像形成する片面モ−ドとを有し、
前記操作部は、画像形成条件として断裁可能枚数を入力する断裁可能枚数入力部を有し、
画像形成が前記片面モ−ドで行われ、かつ、画像データのページ数をＮとしたとき、画像形成の順が１ペ−ジ目からＮペ−ジ目の順で行われる場合、
前記制御手段は、ジョブの画像形成枚数が入力された断裁可能枚数以内であるときには、画像形成開始ページのみに画像データに断裁マ−クを付与した合成画像に基づく画像形成を行うように制御し、
ジョブの画像形成枚数が入力された断裁可能枚数を超えているときには、前記ソートモードを選択し、用紙のシフト排紙枚数を断裁可能枚数以内の枚数に設定して前記シフト手段を動作させ、用紙をシフト排紙枚数毎の用紙束にシフトして排紙トレイ上に積載し、シフトして排紙される複数のそれぞれの用紙束毎の画像形成開始ページのみに、画像データに断裁マークを付与した合成画像に基づく画像形成を行うように制御することを特徴とする画像形成装置。
（１２）前記制御手段は、ジョブが複数の部単位のグループで構成されているときには前記ソートモードを選択し、
部単位のグループそれぞれの枚数が断裁可能枚数以内であるときには、用紙を部単位のグループ毎にシフト排紙させ、それぞれの部単位のグループにおける最終画像形成ページのみに画像データに断裁マ−クを付与した合成画像に基づく画像形成を行うように制御し、
部単位のグループそれぞれの画像形成枚数が断裁可能枚数を超えているときには、用紙のシフト排紙枚数を断裁可能枚数以内の枚数に設定して前記シフト手段を動作させ、用紙をシフト排紙枚数毎の用紙束にシフトして排紙トレイ上に積載し、シフトして積載されるそれぞれの部単位のグループの用紙束毎の最終画像形成ページのみに画像データに断裁マ−クを付与した合成画像に基づく画像形成を行うように制御することを特徴とする（１０）に記載の画像形成装置。
（１３）前記制御手段は、ジョブが複数の部単位のグループで構成されているときには前記ソートモードを選択し、
部単位のグループそれぞれの枚数が断裁可能枚数以内であるときには、用紙を部単位のグループ毎にシフト排紙させ、それぞれの部単位のグループにおける画像形成開始ページのみに画像データに断裁マークを付与した合成画像に基づく画像形成を行うように制御し、
部単位のグループそれぞれの画像形成枚数が断裁可能枚数を超えているときには、用紙のシフト排紙枚数を断裁可能枚数以内の枚数に設定して前記シフト手段を動作させ、用紙をシフト排紙枚数毎の用紙束にシフトして排紙トレイ上に積載し、シフトして排紙されるそれぞれの部単位のグループの用紙束毎の画像形成開始ページのみに画像データに断裁マークを付与した合成画像に基づく画像形成を行うように制御することを特徴とする（１１）に記載の画像形成装置。
（１４）前記制御手段は、ジョブが複数のページ単位のグループで構成されているときには前記ソートモードを選択し、
ページ単位のグループそれぞれの枚数が断裁可能枚数以内であるときには、用紙をページ単位のグループ毎にシフト排紙させ、それぞれのページ単位のグループにおける、最終画像形成ページのみに画像データに断裁マークを付与した合成画像に基づく画像形成を行うように制御し、
ページ単位のグループそれぞれの画像形成枚数が断裁可能枚数を超えているときには、用紙のシフト排紙枚数を断裁可能枚数以内の枚数に設定して前記シフト手段を動作させ、用紙をシフト排紙枚数毎の用紙束にシフトして排紙トレイ上に積載し、シフトして積載されるそれぞれのページ単位のグループの用紙束毎の最終画像形成ページのみに画像データに断裁マークを付与した合成画像に基づく画像形成を行うように制御することを特徴とする（１０）に記載の画像形成装置。
（１５）前記制御手段は、ジョブが複数のページ単位のグループで構成されているときには前記ソートモードを選択し、
ページ単位のグループそれぞれの枚数が断裁可能枚数以内であるときには、用紙をページ単位のグループ毎にシフト排紙させ、それぞれのページ単位のグループにおける、画像形成開始ページのみに画像データに断裁マークを付与した合成画像に基づく画像形成を行うように制御し、
ページ単位のグループそれぞれの画像形成枚数が断裁可能枚数を超えているときには、用紙のシフト排紙枚数を断裁可能枚数以内の枚数に設定して前記シフト手段を動作させ、用紙をシフト排紙枚数毎の用紙束にシフトして排紙トレイ上に積載し、シフトして積載されるそれぞれのページ単位のグループの用紙束毎の画像形成開始ページのみに画像データに断裁マークを付与した合成画像に基づく画像形成を行うように制御することを特徴とする（１１）に記載の画像形成装置。
（１６）ジョブの画像デ−タに基づき用紙に画像形成する画像形成部と、画像形成された用紙を積載する排紙トレイと、画像形成を制御する制御手段と、を有する画像形成装置において、
画像形成される用紙に表紙又は裏表紙を挿入するインターシートモードを有し、
前記インターシートモードで、前記排紙トレイ上に積載された画像形成済みの用紙束に挿入される、前記表紙のみ又は前記裏表紙のみに断裁マークが付与されるように、前記制御手段により、制御されることを特徴とする画像形成装置。
（１７）画像形成が電子写真方式により行われ、定着手段により加熱定着を行う工程を有することを特徴とする（１）乃至（１６）のいずれか１項に記載の画像形成装置。
【発明の効果】
【００１１】
（１）に記載の発明によれば、１つのジョブの画像デ−タにおいて、画像形成開始ページのみ又は最終画像形成ページのみに断裁マ−クを付与することにより、断裁後に他のペ−ジの用紙上に断裁マークが残ることを防止できる。
【００１２】
（２）又は（３）に記載の発明によれば、両面モ−ドにおいて画像形成の順が１ページ目から始まるときには、排紙され、積載される用紙の最終画像形成ページが最上部の上面となり、最終画像形成ページに断裁マークが付与されるため、排紙された用紙を画像形成装置から取り出して断裁機に持ち運ぶ際に上下を逆にする必要がなく、複数の用紙の積載束が崩れるという問題が発生しない。
【００１３】
（４）に記載の発明によれば、画像デ−タのページ数Ｎが奇数であっても、排紙され、積載される用紙の最終ページが、積載束の最上部の上面となる（Ｎ＋１）ペ−ジ目となり、当該（Ｎ＋１）ペ−ジ目に白紙画像デ−タと断裁マークとが付与されるため、排紙された用紙を画像形成装置から取り出して断裁機に持ち運ぶ際に上下を逆にする必要がなく、用紙束が崩れるという問題が発生しない。
【００１４】
（５）乃至（７）のいずれかに記載の発明によれば、画像形成の順がＮページ目から始まる順であるとき、最終画像形成ページとなる１ページ目が用紙束の最上部んぽ最上面に排紙され、積載されて、当該１ページ目に断裁マークが付与されるため、排紙された用紙を画像形成装置から取り出して断裁機に持ち運ぶ際に、用紙束が崩れるという問題が発生しない。
【００１５】
（８）に記載の発明によれば、画像形成が片面モ−ドのみで行われ、画像形成順がＮページ目から開始して行われる場合でも、最終画像形成ページの１ペ−ジ目のみに断裁マークを付与することにより、断裁後に他の用紙上に断裁マークが残ることを防止できる。
【００１６】
（９）に記載の発明によれば、画像形成が片面モ−ドのみで行われ、画像形成順が１ページ目から開始して行われる場合でも、画像形成開始ページである１ペ−ジ目のみに断裁マークを付与することにより、断裁後に他の用紙上に断裁マークが残ることを防止できる。
【００１７】
（１０）又は（１１）に記載の発明によれば、画像形成枚数が断裁可能枚数を超えている場合でも、後工程で使用する断裁機の断裁可能枚数を入力し、用紙を前記排紙トレイ上に積載する際に断裁可能枚数以内の枚数でシフトして、用紙束毎の最終画像形成ページのみに断裁マークを付与することにより、画像形成枚数が断裁可能枚数以内のときに最終画像形成ページのみに断裁マークを付与する場合と同様に、用紙束が断裁可能枚数以内の単位となり、用紙束を断裁機に設置する際の最上面に断裁マークが付与されるため、断裁機での作業が容易となる。
【００１８】
（１２）又は（１３）に記載の発明によれば、ジョブが複数の部単位のグル−プで構成される場合、部単位での画像形成枚数が断裁機の断裁可能枚数を超えていても、断裁可能枚数以内の枚数でシフトされるので、断裁機での作業が容易となる。
【００１９】
（１４）又は（１５）に記載の発明によれば、ジョブが複数のページ単位のグル−プで構成される場合、ペ−ジ単位での画像形成枚数が断裁機の断裁可能枚数を超えていても、断裁可能枚数以内の枚数でシフトされるので、断裁機での作業が容易となる。
【００２０】
（１６）に記載の発明によれば、表紙又は裏表紙のみに断裁マークが付与されるため、断裁後に他の用紙上に断裁マークが残ることを防止できる。
【００２１】
（１７）に記載の発明によれば、画像形成が電子写真方式により行われ、加熱定着工程により定着される場合であっても、断裁マークが画像形成後の用紙上に残ることの無い、高品質の画像を提供することができる。
【発明を実施するための最良の形態】
【００２２】
以下に図面を参照して、本発明に係る画像形成装置の実施の形態について説明する。
【００２３】
図１は、本発明の実施形態に係る画像形成装置を含むシステム構成のブロック図である。本システムは、ＰＣ１、スキャナ２、画像形成装置３、ＬＡＮ４及び断裁機５を含む。なお、本発明における画像形成装置は、画像形成装置３単体であっても、画像形成装置３にスキャナ２の機能を合わせ持ったものであってもよい。
【００２４】
ＰＣ１はパーソナルコンピュータで、画像形成装置３にＬＡＮ４を介し、画像データと、画像形成枚数及び画像形成順を含む画像形成のための設定条件であるジョブのデータ（以下、単にジョブデータという。）と、を入力する。スキャナ２は画像データの読み取り装置で、画像形成装置３にＬＡＮ４を介し、画像データを入力する。
【００２５】
画像形成装置３は、電子写真方式のものが用いられ、ＰＣ１あるいはスキャナ２から入力した画像データとジョブデータとに基づいて用紙に画像形成を行う。ジョブデータは、画像形成装置３が有する操作部（後述）から入力することもできる。画像形成装置３は、用紙の片面に画像形成する片面モ−ドと用紙の両面に画像形成する両面モ−ドとを有すると共に、用紙Ｐをシフト排紙するソートモード、及び表紙又は裏表紙を挿入するインターシートモードを有する。
【００２６】
断裁機５は、画像形成装置３から排紙される用紙の用紙束を、所定の大きさに断裁する断裁処理を行う。ここで、断裁機５は、用紙上の断裁マーク（トンボマークとも称する。）の位置を読み取り、この位置情報に基づいて用紙の断裁処理を行う。例えば、用紙の四隅に画像形成された十字状の断裁マーク位置に基づいて用紙を断裁する。なお、この断裁マークは、断裁機５の機種ごとに異なる形状のものが用いられる。また、画像形成装置３から出力された用紙は、オペレータによりバッチ処理で断裁機５にセットされる。
【００２７】
ＬＡＮ４は、通信ケーブルで、ＣＳＭＡ／ＣＤ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ｄｅｔｅｃｔｉｏｎ）方式等を用いて、ＰＣ１、スキャナ２及び画像形成装置３間で画像データやジョブの送受信を行う。
【００２８】
図２は本発明の実施形態に係る画像形成装置の一例である両面に画像形成が可能な電子写真方式のカラー画像形成装置の全体構成図である。
【００２９】
図２において、画像形成装置３は、タンデム型カラー画像形成装置と称せられるもので、自動原稿送り装置１０、スキャナの機能を有する原稿読取装置２０、画像形成部３１、画像処理部３２、画像書込部３Ｙ、３Ｍ、３Ｃ、３Ｋ、制御手段３ａ、給紙搬送部３５、排紙部３７、排紙トレイ３７Ｄ、自動両面コピーのための再搬送手段（ＡＤＵ）３８を備えている。画像形成部３１は、複数組の画像形成部１０Ｙ、１０Ｍ、１０Ｃ、１０Ｋと、ベルト状の中間転写体６と給紙搬送部３５及び定着部３６とを有する。
【００３０】
イエロー色の画像を形成する画像形成部１０Ｙは、像形成体としての感光体１Ｙの周囲に配置された帯電手段２Ｙ、露光手段３Ｙ、現像装置４Ｙ及びクリーニング手段８Ｙを有する。マゼンタ色の画像を形成する画像形成部１０Ｍは、像形成体としての感光体１Ｍ、帯電手段２Ｍ、露光手段３Ｍ、現像装置４Ｍ及びクリーニング手段８Ｍを有する。シアン色の画像を形成する画像形成部１０Ｃは、像形成体としての感光体１Ｃ、帯電手段２Ｃ、露光手段３Ｃ、現像装置４Ｃ及びクリーニング手段８Ｃを有する。黒色画像を形成する画像形成部１０Ｋは、像形成体としての感光体１Ｋ、帯電手段２Ｋ、露光手段３Ｋ、現像装置４Ｋ及びクリーニング手段８Ｋを有する。帯電手段２Ｙと露光手段３Ｙ、帯電手段２Ｍと露光手段３Ｍ、帯電手段２Ｃと露光装置３Ｃ及び帯電手段２Ｋと露光装置３Ｋとは、潜像形成手段を構成する。
【００３１】
中間転写体６は、無端状のベルトであり、複数のローラにより張架され、回動可能に支持されている。
【００３２】
５Ｙ、５Ｍ、５Ｃ、５Ｋは、現像装置４Ｙ、４Ｍ、４Ｃ、４Ｋにそれぞれ新規トナーを補給するトナー補給手段である。
【００３３】
カラー画像形成装置３は、用紙の片面に画像形成する片面モ−ドと用紙の両面に画像形成する両面モ−ドとを有する。
【００３４】
画像形成装置３の上部には、自動原稿送り装置１０と原稿読取装置２０から成る画像読取装置ＹＳが設置されており、自動原稿送り装置１０の原稿台上に載置された原稿ｄは搬送手段により搬送され、原稿読取装置２０の光学系により原稿の片面又は両面の画像が走査露光され、ラインイメージセンサＣＣＤに読み込まれる。
【００３５】
自動原稿送り装置１０は自動両面原稿搬送手段を備えている。この自動原稿送り装置１０は原稿載置台上から給送される多数枚の原稿ｄの内容を、連続して一挙に読み取り、記憶手段に蓄積する事が可能であるから（電子ＲＤＨ機能）、複写機能により多数枚の原稿内容を複写する場合、或いはファクシミリ機能により多数枚の原稿ｄを送信する場合等に便利に使用される。
【００３６】
ラインイメージセンサＣＣＤにより光電変換されたアナログ信号は、画像処理部において、アナログ処理、Ａ／Ｄ変換、シェーディング補正、画像圧縮処理等を行った後、画像書き込み部（露光手段）３Ｙ、３Ｍ、３Ｃ、３Ｋに信号を送る。画像書き込み部３Ｙ、３Ｍ、３Ｃ、３Ｋから画像形成部３１の感光体１Ｙ、１Ｍ、１Ｃ、１Ｋに光信号が発せられて潜像が形成され、現像装置４Ｙ、４Ｍ、４Ｃ、４Ｋによってカラー画像として顕像化される。
【００３７】
画像形成部３１の複数組の画像形成部１０Ｙ、１０Ｍ、１０Ｃ及び１０Ｋにより形成された各色の画像は、回動する中間転写体６上に転写手段７Ｙ、７Ｍ、７Ｃ及び７Ｋにより逐次転写され（１次転写）、合成されたカラー画像が形成される。給紙カセット３５Ａ内に収容された用紙Ｐは、給紙手段２１により給紙され、給紙ローラ２２Ａ、２２Ｂ、２２Ｃ、レジストローラ２３等を経て、転写手段７Ａに搬送され、用紙Ｐ上にカラー画像が転写される（２次転写）。カラー画像が転写された用紙Ｐは、定着部３６により加熱加圧定着の定着処理がなされ、搬送ローラ３７Ｂ及び排紙ローラ３７Ｃに挟持されて機外の排紙トレイ３７Ｄ上に排紙して積載される。
【００３８】
シフト手段であるシフト排紙部３７０は、搬送ローラ３７Ｂと排紙ローラ３７Ｃとの間に配置されるが、常時は、シフト排紙ローラ３７１とそれに圧接する従動ローラとは圧接していないため、用紙Ｐはシフト排紙部３７０により規制されることはない。
【００３９】
一方、転写手段７Ａにより用紙Ｐにカラー画像を転写した後、用紙Ｐを分離した中間転写体６は、クリーニング手段８Ａにより残留トナーが除去される。
【００４０】
両面モ−ド時には、第１面の画像形成を終えて定着部３６を通過した用紙Ｐは、排紙路切り替え板３７Ａにより再搬送手段３８に送り込まれ、再び画像形成部３１において第２面に画像形成された後、排紙部３７の搬送ローラ３７Ｂ及び排紙ローラ３７Ｃにより排紙トレイ３７Ｄに排紙され、積載される。
【００４１】
また、片面モード時において、反転排紙する場合には、画像形成を終えて定着部３６を通過した用紙Ｐは、排紙路切り替え板３７Ａにより再搬送手段３８に送り込まれた後、再搬送手段３８の搬送ローラ（符番なし）の逆転により、用紙Ｐの表裏を逆にして搬送ローラ３７Ｂ及び排紙ローラ３７Ｃにより排紙トレイ３７Ｄに排紙され、積載される。
【００４２】
ソートモードが選択されたとき、シフト排紙部３７０は、シフト排紙ローラ３７１と従動ローラとを圧接し、用紙搬送方向と直角な方向にスライドして用紙Ｐをシフトし、シフトされた用紙は、排紙ローラ３７Ｃにより排紙トレイ３７Ｄに排紙され、シフトされた状態で積載される。
【００４３】
図３は、本発明の実施形態に係るシフト排紙部３７０の構成及び動作を説明するための側断面図である。
【００４４】
シフト排紙部３７０は、図示しない駆動モータにより回転駆動される回転軸３７３、回転軸３７３に一体的に固定されて回転駆動されるシフト搬送ローラ３７１、シフト搬送ローラ３７１の周面に圧接して従動回転する従動ローラ３７２、シフト搬送ローラ３７１及び従動ローラ３７２を回転自在に保持するフレーム３７５、フレーム３７５に固定され、シフト排紙部３７０全体を用紙搬送方向と直角な方向に摺動させるための動力を伝達する連結ピン３７６、及び、連結ピン３７６に嵌合する嵌合穴を有し、図示しないシフト排紙部駆動モータ及びリンク機構により用紙搬送方向と直角な方向に摺動して連結ピン３７６を摺動させるアーム３７７、等からなる。
【００４５】
図示しない駆動モータが、ベルトＢを介して、画像形成装置３の本体フレーム３７Ｅに回転自在に保持されたプーリー３７Ｆを回転させ、プーリー３７Ｆ内に圧入固定された含油軸受３７Ｇの平行平面部が、駆動ローラ３７１の回転軸３７３の一端に形成された平行平面部Ｈに係合した状態で互いに摺動自在に係合し、プーリー３７Ｆの回転により回転軸３７３を回転させる構成となっている。駆動ローラ３７１の回転軸３７３の他端はフレーム３７５と一体的に保持された軸受Ｊに保持されている。
【００４６】
従動ローラ３７２の回転軸３７４は、図示しない揺動可能な可動支持板に回転可能に支持され、常時はバネの力によりシフト搬送ローラ３７１から離間している。一方、搬送ローラ３７Ｂも圧接又は圧接解除が切換可能な圧接解除部を有する構成となっており、常時はバネの力により駆動ローラと従動ローラとが圧接し、制御部３０からの指令があると、圧接解除部に設けられた図示しないソレノイドが動作して圧接が解除される構成となっている。
【００４７】
ソートモードが選択され、制御部３０により画像形成が指示されると、用紙Ｐの搬送タイミングと同期して図示しないソレノイドが通電されて動作し、ソレノイドの力がバネの力を上回る構成となっているため、従動ローラ３７２は用紙Ｐを挟み込んだ状態でシフト搬送ローラ３７１に圧接される。これと同時に、搬送ローラ３７Ｂの圧接解除部に設けられたソレノイドが動作して搬送ローラ３７Ｂの圧接が解除される。シフト搬送ローラ３７１の従動ローラ３７２が用紙Ｐを挟み込んだタイミングに合わせて、シフト排紙部駆動モータが動作し、リンク機構及びアーム３７７を介して連結ピン３７６を動作させ、シフト排紙部３７０を用紙搬送方向と直角な方向に摺動させる。
【００４８】
ソートモードを選択したジョブが終了すると、制御部３０は、シフト搬送ローラ３７１の従動ローラ３７２を圧接するソレノイドへの通電を中止し、圧接を解除すると共に、シフト排紙部駆動モータを動作させ、リンク機構、アーム３７７、及び連結ピン３７６を介してシフト排紙部３７０を元の位置に戻す。同時に、搬送ローラ３７Ｂの圧接解除部に設けたソレノイドへの通電を注しして搬送ローラ３７Ｂを圧接状態に戻す。
【００４９】
なお、本実施の形態では、シフト排紙が、用紙搬送方向と直角な方向に摺動するシフト排紙部３７０により行われる構成について説明したが、排紙トレイ３７Ｄを用紙搬送方向と直角な方向に摺動する構成としても良い。
【００５０】
図４は、本発明の実施形態に係る画像形成装置３の制御手段３ａに関するブロック図である。画像形成装置３の制御手段３ａは、制御部３０、画像処理部３２、メモリ制御部３３、圧縮伸長部３３５、画像メモリ部３４、及びインターフェースＩ／Ｆを有する。
【００５１】
制御部３０は、ＣＰＵを内蔵し、ＬＡＮ４又は操作部３９から入力されたジョブデータ３４１に基づいて、原稿読取装置２０、画像書込部３Ｙ、３Ｍ、３Ｃ、３Ｋ、及び画像形成装置３等、画像形成装置３各部に対し、統括的な制御を行う。
【００５２】
メモリ制御部３３はインターフェースＩ／Ｆを経由して入力されたジョブデータ３４１又は画像データ３４９を、制御部３０、圧縮伸長部３３５、画像メモリ部３４、及び画像処理部３２に送付する。
【００５３】
画像処理部３２は、演算プロセッサを内蔵し、ＰＣ１あるいはスキャナ２より送られる画像データ３４９をＬＡＮ４に繋がるインターフェースＩ／Ｆ及びメモリ制御部３３を介して入力し、画像データ３４９を出力する際にγ補正、ビットマップ変換等の画像処理を行う。
【００５４】
画像データ３４９は、画像形成装置３の原稿読取装置２０、ＰＣ１、又はスキャナ２によって作成される電子化されたデータである。断裁マーク情報３４２は、断裁マークの形状及び大きさを表すデータで、操作部３９により入力され、断裁マークメモリ３４６に保存される。
【００５５】
画像メモリ部３４はページメモリ３４５と断裁マークメモリ３４６とを有し、入力された画像データ３４９をページメモリ３４５に、断裁マーク情報３４２を断裁マークメモリ３４６に保存すると共に、制御部３０からのジョブデータ３４１に基づいて、画像データ３４９と断裁マークとの合成を行い、合成した画像をページメモリ３４６に保存する。
【００５６】
断裁マークメモリ３４６は、画像データ３４９の位置に対応する断裁マーク付与の位置及び向きを決定するために予め入力されたプログラムを内蔵するメモリで、断裁マーク情報３４２を保存すると共に、メモリ制御部３３からの指示により、画像データ３４９に断裁マークを付与した合成画像を形成するための必要なデータをページメモリ３４５に提供する。
【００５７】
操作部３９は、ＬＣＤ（Ｌｉｑｕｉｄ  Ｃｒｙｓｔａｌ  Ｄｉｓｐｌａｙ）等の表示部、タッチパネル及びテンキー等の入力手段を有し、画像形成を行う際の各種設定を行う。なお、後述する断裁マーク情報３４２の入力、及び断裁マークを付与する面の選択も操作部３９から行われる。
【００５８】
画像形成部３１は、制御部３０から指令されるジョブデータ３４１に基づいて、給紙トレイから用紙Ｐを送り出し、この用紙Ｐ上に画像形成し、排紙トレイ３７Ｄに排紙して積載する。
【００５９】
次に、制御手段３ａにおける、ジョブデータ３４１、断裁マーク情報３４２、及び画像データ３４９の流れについて説明する。
【００６０】
画像データ３４９がスキャナ２より送られ、ジョブデータ３４１がＰＣ１から送られる場合、ジョブデータ３４１はＬＡＮ４に繋がるインターフェースＩ／Ｆ及びメモリ制御部３３を経て画像形成装置３の制御部３０に送られ、画像データ３４９はインターフェースＩ／Ｆを介してメモリ制御部３３に送られる。
【００６１】
画像データ３４９及びジョブデータ３４１がＰＣ１から送られる場合、ジョブデータ３４１はＬＡＮ４に繋がるインターフェースＩ／Ｆ及びメモリ制御部３３を経て画像形成装置３の制御部３０に送られ、画像データ３４９はインターフェースＩ／Ｆを介してメモリ制御部３３に送られる。
【００６２】
ジョブデータ３４１が画像形成装置の操作部３９によって作成され、画像データ３４９が画像形成装置の原稿読取装置２０によって作成される場合、ジョブデータ３４１は直接画像形成装置３の制御部３０に送られ、原稿読取装置２０により作成された画像データ３４９は、直接メモリ制御部３３に送られる。
【００６３】
断裁マーク情報３４２は、操作部３９から入力され、制御部３０及びメモリ制御部３３を経由して画像メモリ部３４に送られ、断裁マークメモリ３４６に保存される。
【００６４】
ジョブデータ３４１を受けた制御部３０は、送られたジョブデータ３４１に基づいて、メモリ制御部３３、画像処理部３２、及び画像形成部３１を制御する。
【００６５】
画像データ３４９を送られたメモリ制御部３３は、画像データ３４９を画像処理部３２に送り、Ａ／Ｄ変換、γ補正、ビットマップ変換等の画像処理を行い、更に画像データ３４９を圧縮伸長部３３５に送って画像圧縮した後、一旦画像メモリ部３４に保存する。その後、制御部３０からの指示により、メモリ制御部３３は、画像メモリ部３４に保存された画像データ３４９を圧縮伸長部３３５に送って画像を伸長した後、ページメモリ３４５及び断裁マークメモリ３４６を用いて画像データ３４９に断裁マークを付与した合成画像を作成し、画像書込部３Ｙ、３Ｍ、３Ｃ、３Ｋに送る。画像書込部３Ｙ、３Ｍ、３Ｃ、３Ｋは、送られた合成画像に基づいて画像形成部３１の感光体１Ｙ、１Ｍ、１Ｃ、１Ｋ上に書き込みを行い、複数組の画像形成部１０Ｙ、１０Ｍ、１０Ｃ及び１０Ｋによる画像形成工程に移行する。
【００６６】
図５は、断裁マークメモリ３４６による、断裁マークの添付動作を模式的に示した図である。
【００６７】
操作部３９からの操作により、操作部３９の表示部に断裁マークを付与するための断裁マーク画面（後述）が呼び出され、次いで、断裁マークの形状及び大きさ（断裁マークパターンともいう）を選択する断裁マーク情報３４２が選択される。断裁マーク情報３４２は画像メモリ部３４に送られて断裁マークメモリ３４６として保存される。
【００６８】
ページメモリ３４５は、画像形成部３１に出力する画像データ３４９を記憶するメモリで、このメモリの内容が画像形成時の出力情報となり、ページメモリ３４５内で、画像データ３４９と操作部３９から指定される断裁マーク情報３４２とを合成する画像形成が行われる。ページメモリ３４５内で形成された画像は、メモリ制御部３３及び画像書込部３Ｙ、３Ｍ、３Ｃ、３Ｋを経由して、画像形成部３１の感光体１Ｙ、１Ｍ、１Ｃ、１Ｋ上に書き込まれる。また、画像メモリ３４内部でページメモリ３４５の内容が保存される場合には、ページメモリ３４５の内容は圧縮伸長部３３５にて適宜画像圧縮され、さらに必要に応じて画像の伸長が行われ画像形成に供される。また、ページメモリ３４５内には、予め入力された白紙画像データのプログラムが格納されており、用紙Ｐに白紙のページを形成することができる。
【００６９】
画像データ３４９は、ページメモリ３４５内における画像形成の出力範囲を示すページの中心近傍の所定位置に配置される。断裁マークは、断裁マーク情報３４２に基づいて、操作部３９によりマークの種類を選定され、ジョブデータ３４１に基づいて決定された断裁マークを付与すべきページに対し、ページメモリ３４５上の画像に位置する４つの角部近傍に、向き、及び位置を最適化されて配置される。
【００７０】
図６は、本発明に係る実施形態である画像形成の順序と断裁マークを付与される面との関係について説明するための模式的斜視図であり、画像形成された用紙Ｐが、排紙トレイ上に排紙され、積載されるときの状態を模式的に示したものである。符号のＮは、ＰＣ１又はスキャナ２からＬＡＮ４を介して送られるジョブデータ３４１中の用紙Ｐの総ページ数である。Ｎページの画像形成を行うときの用紙Ｐの積載順が１ページからＮページとなるか、Ｎページから１ページとなるかはＰＣ１又はスキャナ２から設定される画像形成の順序（以下、画像形成順という）により決定される。ジョブデータ３４１の一部である総ページ数Ｎ及び画像形成順は、ＬＡＮ４を介して画像形成装置３のページメモリ３４５に入力され、格納される。なお、本発明では１枚の用紙Ｐにおいて、先に画像形成される面を第１面と呼び、次に画像形成される第１面の裏面を第２面と呼ぶこととする。また、図６では、ＰＣ１又は操作部３９から入力されるジョブデータ３４１が断裁マークを最上面（片面）のみに付与するときの用紙Ｐの積載状態を示す。
【００７１】
図６における画像形成順はＰＣ１又はスキャナ２からの入力を受けた制御部３０からの指令で制御され、総ページ数Ｎが奇数か偶数かにより生じる（Ｎ＋１）ページ目（後述）の作成、及び断裁マーク付与面の決定については、ＰＣ１から入力されたジョブデータ３４１、又は、操作部３９から入力されたジョブデータ３４１を受けた制御部３０が、画像形成装置３の各部へ発する指令により制御される。
【００７２】
図６（ａ）は、総ページ数Ｎが奇数で、画像形成順が１ペ−ジ目から開始されて順次Ｎペ−ジ目まで行われる場合の用紙Ｐの排紙状態と断裁マーク付与との関係を示す図である。図６（ａ）において、用紙Ｐに１ページ目が最初に画像形成され（第１面）、２ページ目が次に画像形成される（第２面）。以下、順に３ページ目、４ページ目と進み、画像データの最終ページであるＮページ目は、Ｎが奇数であるため、Ｎページ目が第１面（下面）となり、断裁マークが付与されないページとなる。最上部に排紙される用紙Ｐに断裁マークが無いと、用紙束を断裁機で断裁する際に問題となるため、本発明では、制御手段３ａは、Ｎが奇数であるとき、白紙の画像データにより構成された（Ｎ＋１）ページ目を第２面として形成し、この（Ｎ＋１）ページ目に断裁マークを付与する。
【００７３】
図６（ｂ）は、総ページ数Ｎが偶数で、画像形成順が１ペ−ジ目から開始されて順次Ｎペ−ジ目まで行われる場合の用紙Ｐの排紙状態と断裁マーク付与との関係を示す図である。図６（ｂ）において、用紙Ｐに１ページ目が最初に画像形成され（第１面）、２ページ目が次に画像形成される（第２面）。Ｎが偶数であるため、排紙トレイ上の用紙束の最上部にＮページ目が排紙されることになり、断裁マークはＮページ目に付与されることになる。従って、この総ページ数Ｎと画像形成順との組み合わせでは、（Ｎ＋１）ページ目を形成する必要はない。
【００７４】
図６（ｃ）は、総ページ数Ｎが奇数で、画像形成順がＮペ−ジ目から開始されて順次１ペ−ジ目まで行われる場合の用紙Ｐの排紙状態と断裁マーク付与との関係を示す図である。図６（ｃ）において、用紙Ｐに画像形成される画像データとしては、Ｎページ目が最初に画像形成されるが、本実施の形態における画像形成装置では、最初に画像形成されるページは第１面として下面側となるため、Ｎが奇数であると、奇数ページが下面側となってしまう。即ち、最後に排紙される１ページ目が下面となってしまうので用紙束の完成時に問題となる。そこで、本発明に係る実施形態では、Ｎが奇数であるとき、白紙の画像データにより構成された（Ｎ＋１）ページ目を画像形成開始ページ（第１面）として形成し、第２面をＮページ目として形成する。これにより、最後に排紙される１ページ目が最上面となり、用紙束の完成時の問題がなくなる。この１ページ目に画像データ３４９と断裁マークとを合成した画像形成を行う。
【００７５】
図６（ｄ）は、総ページ数Ｎが偶数で、画像形成順がＮペ−ジ目から開始されて順次１ペ−ジ目まで行われる場合の用紙Ｐの排紙状態と断裁マーク付与との関係を示す図である。図６（ｄ）において、用紙ＰにＮページ目が最初に画像形成され（第１面）、（Ｎ−１）ページ目が次に画像形成される（第２面）。以下、順に画像形成が行われ、最上部に排紙される１ページ目が第２面（最上面）となり、断裁マークが付与されるページとなる。したがって、この総ページ数Ｎと画像形成順との組み合わせでは、（Ｎ＋１）ページ目を形成する必要はない。
【００７６】
図７は、本発明に係る実施形態である用紙片面のみへの画像形成時の画像形成の順序と断裁マークを付与される面との関係について説明するための模式的斜視図であり、図７（ａ）は、ページ数Ｎの画像形成で、画像形成順が１ページから開始されて順次Ｎペ−ジ目まで行われる場合の用紙Ｐの排紙状態と断裁マーク付与との関係を示す図であり、図７（ｂ）は、画像形成順がＮページから開始されて順次１ペ−ジ目まで行われる場合の用紙Ｐの排紙状態と断裁マーク付与との関係を示す図である。
【００７７】
図７（ａ）において、画像形成順が１ページから開始されるときは、用紙Ｐは再搬送手段３８において反転排紙され、画像面が下向きの状態で排紙トレイ３７Ｄ上に排紙され、積載される。このとき、図７（ａ）のＡ矢視に示す如く、断裁マークは１ページ目のみに付与される。
【００７８】
図７（ｂ）において、画像形成順がＮページから開始されるときは、用紙Ｐは通常に排紙され、画像面が上向きの状態で排紙トレイ３７Ｄ上に排紙され、積載されて、断裁マークは１ページ目のみに付与される。
【００７９】
図８は、本発明に係る実施形態である両面モード又は片面モードにおいて、シフトされて排紙（以下、シフト排紙という）される用紙束の最終画像形成ページのみ、又は画像形成開始ページのみへ断裁マークが付与される状態を説明するための模式的斜視図であり、図８（ａ）は、シフト排紙された用紙束毎の最終画像形成ページのみに断裁マークが付与される状態を示す図であり、図８（ｂ）は、シフト排紙された用紙束毎の画像形成開始ページのみに断裁マークが付与される状態を示す図である。
【００８０】
本実施の形態において、図８（ａ）は、両面モードで用紙Ｐがシフト排紙される場合、又は、片面モードでページ数Ｎの用紙Ｐの画像形成順がＮページ目から始まり、かつ、用紙Ｐがシフト排紙される場合の状態を示す。シフト排紙されるそれぞれの用紙束毎の最終画像形成ページ（最上面）のみに断裁マークが付与されて排紙される。
【００８１】
図８（ｂ）は、片面モードでページ数Ｎの用紙Ｐの画像形成順が１ページ目から始まり、かつ、用紙Ｐがシフト排紙される場合の状態を示す。シフト排紙されるそれぞれの用紙束毎の画像形成開始ページ（最下面）のみに断裁マークが付与されて排紙される。図８（ｂ）のＡ矢視図は画像形成開始ページを示す下面図であり、画像形成開始ページには画像データ３４９に断裁マークを付与した合成画像が形成される。また、シフト排紙後のそれぞれの画像形成開始ページにも、画像形成開始ページと同様に、画像データ３４９に断裁マークを付与した合成画像が形成される。
【００８２】
図８に示すシフト排紙の状態は、ページ数Ｎの用紙束が、複数のページ単位の用紙の集まり（後述）である場合、及び複数の部単位の用紙の集まり（後述）である場合にも、同様の状態となる。
【００８３】
図９は、本発明の実施形態に係る操作部３９の表示部に表示される表示画面３９Ａであり、操作部３９の図示しない表示部初期画面上における、カラー画像形成モード、モノクロ画像形成モードの区分の内、モノクロ画像形成モードを選択後に表示部に表示される画面である。
【００８４】
図９における表示画面３９Ａの右上部には、設定した画像形成枚数と進行中の画像形成枚数が表示される。下方には、出力状態を設定する出力選択ボタン、両面モードか片面モードかを選択する両面選択ボタン、コピー濃度選択ボタン、倍率選択ボタン、用紙サイズ選択ボタン、及び、その他の応用機能を設定する応用機能設定ボタンが配置されている。応用機能設定ボタンには、応用機能選択ボタン４０Ａが含まれ、出力選択ボタンには、ソートモード選択ボタン４１Ａが含まれる。
【００８５】
図１０は、図９の表示画面の次画面であり、図９に示す応用機能選択ボタン４０Ａを選択したときに表示される表示画面３９Ｂである。表示画面３９Ｂは、ページ編集ボタン群と画像編集ボタン群とに分かれており、ページ編集ボタン群にはインターシート選択ボタン４０Ｂが含まれる。また、下方には、応用機能を解除する全応用解除ボタン、選択したボタンの決定、キャンセルを行うＯＫボタン、キャンセルボタン、及び断裁マークの付与を設定する断裁マーク付与ボタン４１Ｂが配置されている。
【００８６】
図１１は、図９の次画面であり、本発明に係る断裁可能枚数入力部の機能を有する表示画面３９Ｃである。図１１（ａ）は、オペレータが、図９に示す表示画面３９Ａから、両面モードとソートモード選択ボタン４１Ａとを選択したときに表示される表示画面３９Ｃであり、図１１（ｂ）は、オペレータが、図９に示す表示画面３９Ａから、片面モードとソートモード選択ボタン４１Ａとを選択したときに表示される表示画面３９Ｄである。用紙束のシフト可能枚数は、後工程で使用する断裁機の断裁能力以内の最大枚数に合わせて変更可能に構成されており、オペレータは表示画面３９Ｃ、３９Ｄから、排紙される用紙束のシフト可能枚数を再設定することができる。シフト可能枚数は、画像メモリ部３４のページメモリ３４５に最大シフト可能枚数として予め設定され、格納される数値データである。表示画面３９Ｃ、３９Ｄは、画面上部には、制御部３０の状態あるいはユーザーへの操作のアドバイスを示すコメントが表示され、左下部には、表示画面上の情報を除去する手段であるクリアボタン、出力される用紙束のシフト枚数を再設定するためのシフト排紙枚数設定ボタン４０Ｃ、４０Ｄ、設定された枚数を表示するシフト排紙設定枚数表示４１Ｃ、４１Ｄ、及び画面の設定を確定する決定ボタンが配置され、右下部には、断裁マークを付与するかどうかを選択する断裁マーク付与ボタン４２Ｃ、４２Ｄ、現在選択されている画像形成が両面モードか片面モードかの表示、ソートモードが選択されているかどうかの表示、指定されている画像形成順の表示、及び断裁マークの付与が選択されているかどうかの表示が表示される。
【００８７】
ジョブの枚数がシフト排紙設定枚数表示４１Ｃ、４１Ｄに設定された枚数を超えている場合に、シフト排紙設定枚数表示４１Ｃ、４１Ｄに表示された設定枚数を変更せずに決定ボタンを押したときには、用紙は自動的にシフト排紙設定枚数表示４１Ｃ、４１Ｄに表示された枚数でシフト排紙される。
【００８８】
オペレータが、シフト排紙枚数を変更したいときには、シフト排紙枚数設定ボタン４０Ｃ、４０Ｄを押して、図示しない操作部３９のテンキーを操作して所望するシフト排紙枚数を入力することにより、シフト排紙設定枚数表示４１Ｃ、４１Ｄに所望するシフト排紙枚数が表示され、決定ボタンを押すことにより、用紙は自動的に新たに設定されたシフト排紙設定枚数数でシフト排紙される。
【００８９】
図１２は、図１０の次画面であり、図１０に示すインターシート選択ボタン４０Ｂを選択したときに表示される表示画面３９Ｅであり、挿入紙として搬送される表紙又は裏表紙が載置される給紙トレイの選択、用紙Ｐに対する挿入紙の位置、及び断裁マークの付与の有無を入力できる画面である。表示画面３９Ｅは、画面上部には、制御部３０の状態あるいはユーザーへの操作のアドバイスを示すコメントが表示され、左下部には、給紙トレイの選択ボタン、中央下部には、挿入紙の位置を設定するインターシート位置ボタン、及び右下部には、断裁マークの付与を選択する断裁マーク付与ボタン４０Ｅ、表示画面上の情報を除去する手段であるクリアボタン、及び画面の設定を確定する決定ボタンが配置されている。なお、インターシート位置ボタンの中間位置を選択したときは、操作部３９の図示しないテンキーにより、挿入する位置を枚数で入力することができる。
【００９０】
図１３は、図１０の次画面であり、図１０に示す断裁マーク付与ボタン４１Ｂを選択したときに表示される断裁マーク付与モードの表示画面３９Ｆである。表示画面３９Ｆは、画面上部には、制御部３０の状態あるいはユーザーへの操作のアドバイスを示すコメントが表示され、左下部には、表示画面上の情報を除去する手段であるクリアボタン、断裁マークの種類を選択する断裁マーク選択ボタン４０Ｆ、及び画面の設定を確定する決定ボタンが配置され、右下部には、断裁マークの種類を表示する断裁マーク表示部４１Ｆが表示される。断裁マークの種類は、断裁マーク選択ボタン４０Ｆを繰り返し押すことにより断裁マークの種類に対応する目印部の発光により選択し、決定ボタンを押して決定する。
【００９１】
続いて、制御部３０を中心とする画像形成装置３の動作を、図６〜図８の用紙束の積載状態を示す図、図９〜図１３の表示画面を示す図、及び図１４〜図１８のフローチャートを用いて説明する。
【００９２】
図１４は、本発明の実施形態に係る画像形成装置３において、断裁マーク付与モードが選択されたときの動作を説明するためのフローチャートである。
【００９３】
ＰＣ１又はスキャナ２から画像形成開始の指示が出される（ステップＳ１）と、制御手段３ａは、画像形成開始の信号をＬＡＮ４を介して画像形成装置３の制御部３０に送り、制御部３０は操作部３９に指令を発し、操作部３９の表示部に図示しない初期画面を表示する。
【００９４】
オペレータは、操作部３９の初期画面において、所望するモードがモノクロ画像形成モードか否かを選択する（ステップＳ２）。制御部３０は、選択された画像形成モードがモノクロ画像形成モードであるときは（ステップＳ２肯定）ステップ３に進み、操作部３９の表示部に、図９に示す表示画面３９Ａを表示させる。モノクロ画像形成モードでないときは（ステップＳ２否定）ステップ２０のカラー画像形成モードに進む。然るに、カラー画像形成モードであっても、本発明の目的である断裁マークを付与する構成及び動作については、モノクロ画像形成モードと同一であるため、カラー画像形成モードの工程（ステップＳ２０）についての説明は省略する。
【００９５】
ステップ３において、オペレータは、表示画面３９Ａから、所望するモードが両面モードか否かを選択する（ステップＳ３）。ステップＳ３において、選択されたモードが両面モードでないときは（ステップＳ３否定）ステップ３０（片面モード）に進み、制御部３０は、指令を発信して画像形成装置のモードを片面モードとする（ステップＳ３０、図１５参照）。制御部３０は、選択されたモードが両面モードであるときは（ステップＳ３肯定）ステップ４に進み、ステップ４以降は両面モードとなり、オペレータはインターシートモードを選択するかどうかを選択する（ステップＳ４）。
【００９６】
ステップ４において、インターシートモードを選択するときは（ステップＳ４肯定）インターシートモード（ステップＳ５０、図１６参照）に進み、インターシートモードを選択しないときは（ステップＳ４否定）ステップ５に進む。
【００９７】
ステップ５において、制御部３０は、ジョブデータ３４１における画像形成順が１ページ目から開始され、Ｎページ目へと進む順となっているかどうかを判断し（ステップＳ５）、画像形成順が１ページ目から開始される順となっているときは（ステップＳ５肯定）ステップ６に進み、画像形成順がＮページ目から開始される順となっているときは（ステップＳ５否定）ステップ１１に進む。
【００９８】
ステップ６において、オペレータは、ソートモードを選択するかどうかを選択し（ステップＳ６）、ソートモードを選択するときは（ステップＳ６肯定）ソートモード１（ステップＳ７０、図１７参照）に進み、ソートモードを選択しないときは（ステップＳ６否定）ステップ７に進む。
【００９９】
ステップ７において、制御部３０は、ジョブデータ３４１におけるページ数Ｎが偶数であるかどうかを判断し（ステップＳ７）、ページ数Ｎが偶数であるときは（ステップＳ７肯定）、図６（ｂ）に示すように、Ｎページ目に白紙の画像データに断裁マークを付与した画像を形成するように、画像形成部３１に指令を発信し、画像形成部３１はＮページ目に白紙の画像データと断裁マークとを合成した画像を形成（ステップＳ８）して画像形成を終了する。
【０１００】
ステップ７において、ページ数Ｎが偶数でないときは（ステップＳ７否定）ステップ９に進み、図６（ａ）に示すように、Ｎページ目に画像データに基づいた画像形成を行った（ステップＳ９）後、Ｎページ目の裏面に（Ｎ＋１）ページ目を最終画像形成ページとして作成し、白紙の画像データと断裁マークとを合成した画像を形成する（ステップＳ１０）。
【０１０１】
ステップ５において、制御部３０が、画像形成順がＮページ目から開始される順となっていると判断したときは（ステップＳ５否定）ステップ１１に進み、オペレータは、ソートモードを選択するかどうかを選択する（ステップＳ１１）。ソートモードを選択するときは（ステップＳ１１肯定）ソートモード１（ステップＳ７０、図１７参照）に進み、ソートモードを選択しないときは（ステップＳ１１否定）ステップ１２に進む。
【０１０２】
ステップ１２において、制御部３０は、ページ数Ｎが偶数であるかどうかを判断し（ステップＳ１２）、ページ数Ｎが偶数であるときは（ステップＳ１２肯定）、図６（ｄ）に示すように、Ｎページ目からの画像形成を開始する（ステップＳ１３）。
【０１０３】
次に、制御部３０は、Ｎページ目以降の画像形成時に画像データ３４９が１ページ目に達したかどうかを確認し（ステップＳ１４）、１ページ目に達していないとき（ステップＳ１４否定）にはステップＳ１３に戻り画像形成を継続する（ステップＳ１３）。画像データ３４９が１ページ目に達したとき（ステップＳ１４肯定）にはステップＳ１５に進む。
【０１０４】
ステップ１５において、制御部３０は、１ページ目を最終画像形成ページとし、画像データと断裁マークとを合成した画像を形成するように、画像形成部３１に指令を発信し、画像形成部３１は１ページ目に画像データと断裁マークとを合成した画像を形成して（ステップＳ１５）画像形成を終了する。
【０１０５】
ステップ１２において、制御部３０は、ページ数Ｎが偶数であるかどうかを判断し（ステップＳ１２）、ページ数Ｎが偶数でないときは（ステップＳ１２否定）、図６（ｃ）に示すように、画像データの開始ページであるＮページ目の裏面に（Ｎ＋１）ページ目に白紙の画像データと断裁マークとを合成した画像を形成（ステップＳ１６）し画像形成開始ページとする。次いで、Ｎページ目以降の画像形成を行う（ステップＳ１７）。
【０１０６】
次に、制御部３０は、画像形成時に画像データ３４９が１ページ目に達したかどうかを確認し（ステップＳ１８）、１ページ目に達していないとき（ステップＳ１８否定）にはステップＳ１７に戻り画像形成を継続する（ステップＳ１７）。画像データ３４９が１ページ目に達したとき（ステップＳ１８肯定）にはステップＳ１９に進む。
【０１０７】
ステップ１９において、制御部３０は、１ページ目を最終画像形成ページとし、画像データ３４９と断裁マークとを合成した画像を形成するように、画像形成部３１に指令を発信し、画像形成部３１は１ページ目に画像データと断裁マークとを合成した画像を形成して（ステップＳ１９）画像形成を終了する。
【０１０８】
図１５は、図１４のステップＳ３でオペレータの所望するモードが両面モードでないとき（ステップＳ３否定）に選択される片面モードでの動作を説明するためのフローチャートである。
【０１０９】
ステップ３０において、図９に示す表示画面３９Ａから、オペレータにより片面モードが選択されると、ステップＳ３１へ進み、図１０に示す表示画面３９Ｂが表示され、オペレータはインターシート選択ボタン４０Ｂによりインターシートモードを選択するかどうかを選択する（ステップＳ３１）。インターシートモードを選択するときは（ステップＳ３１肯定）インターシートモード（ステップＳ５０、図１６参照）に進み、インターシートモードを選択しないときは（ステップＳ３１否定）ステップ３２に進む。
【０１１０】
ステップ３２において、制御部３０は、画像形成順がＮページ目から開始され、１ページ目へと進む順となっているかどうかを判断し（ステップＳ３２）、画像形成順がＮページ目から開始される順となっているときは（ステップＳ３２肯定）ステップ３３に進み、画像形成順が１ページ目から開始される順となっているときは（ステップＳ３２否定）ステップ３７に進む。
【０１１１】
ステップ３３において、オペレータは、ソートモードを選択するかどうかを選択し（ステップＳ３３）、ソートモードを選択するときは（ステップＳ３３肯定）ソートモード１（ステップＳ７０、図１７参照）に進み、ソートモードを選択しないときは（ステップＳ３３否定）ステップ３４に進む。
【０１１２】
ステップＳ３４において、制御部３０は画像形成部３１に指令を発し、図７（ｂ）に示すように、Ｎページ目から始まる片面への画像形成を開始させる（ステップＳ３４）。
【０１１３】
次に、制御部３０は、画像データ３４９が１ページ目に達したかどうかを確認し（ステップＳ３５）、１ページ目に達していないとき（ステップＳ３５否定）にはステップＳ３４に戻り画像形成を継続する（ステップＳ３４）。画像データ３４９が１ページ目に達したとき（ステップＳ３５肯定）にはステップＳ３６に進む。
【０１１４】
ステップ３６において、制御部３０は、１ページ目を最終画像形成ページとし、１ページ目に画像データと断裁マークとを合成した画像を形成するように、画像形成部３１に指令を発信し、画像形成部３１は１ページ目に画像データと断裁マークとを合成した画像を形成して（ステップＳ３６）画像形成を終了する。
【０１１５】
ステップ３２において、制御部３０は、画像形成順が１ページ目から開始される順となっているときは（ステップＳ３２否定）ステップ３７に進み、オペレータは、ソートモードを選択するかどうかを判断する（ステップＳ３７）。ソートモードを選択するときは（ステップＳ３７肯定）ソートモード２（ステップＳ９０、図１８参照）に進み、ソートモードを選択しないときは（ステップＳ３７否定）ステップ３８に進む。
【０１１６】
ステップＳ３８において、制御部３０は画像形成部３１に指令を発し、図７（ａ）に示すように、１ページ目から始まる片面への画像形成を開始させ、画像形成開始ページである１ページ目に画像データ３４９に断裁マークを付与した合成画像を形成させ、用紙Ｐを、再搬送手段３８に送り込み、用紙Ｐの表裏を逆にして排紙トレイ３７Ｄに反転排紙し、積載する（ステップＳ３８）。続いて、２ページ目からＮページ目までの片面への画像形成を行い、排紙トレイ３７Ｄに反転排紙し、積載して画像形成を終了する（ステップＳ３９）。
【０１１７】
図１６は、図１４のステップＳ４でオペレータがインターシートモードを所望するとき（ステップＳ４肯定）、又は、図１５のステップＳ３１でオペレータがインターシートモードを所望するとき（ステップＳ３１肯定）に選択されるインターシートモードでの動作を説明するためのフローチャートである。
【０１１８】
本発明に係るインターシートモードのフローチャートは、表紙又は裏表紙に断裁マークを付与して用紙束に挿入する動作の手順について説明するためのフローチャートである。
【０１１９】
インターシートモードは、図１０に示す表示画面３９Ｂにおいて、オペレータがインターシートボタン４０Ｂを押して選択されるモードであり、操作部３９には図１２に示す表示画面３９Ｅが表示される（ステップＳ５０）。
【０１２０】
オペレータは、表示画面３９Ｅの給紙トレイ選択ボタンの選択により、複数の給紙トレイから、所望の表紙が設置されている給紙トレイを選択すると共に、インターシート位置選択ボタン（最初、最後）の選択により、挿入紙を挿入する位置、即ち、表紙を画像形成順の最初に挿入するかどうかを判断する（ステップＳ５１）。断裁マークを付与するときは、断裁マーク付与選択ボタン４０Ｅを押し、決定ボタンにより確定させる。
【０１２１】
表紙を画像形成順の最初に挿入するとき（ステップＳ５１肯定）にはステップ５８に進み、画像形成順の最後に挿入するとき（ステップＳ５１否定）にはステップ５２に進む。
【０１２２】
次いで、裏表紙を挿入するかどうか（ステップＳ５２）を給紙トレイ選択ボタン及びインターシート位置選択ボタンにより選択し、決定ボタンにより確定する。裏表紙を挿入するとき（ステップＳ５２肯定）にはステップ５３に進み、挿入しないとき（ステップＳ５２否定）にはステップ５４に進む。
【０１２３】
ステップ５３において、裏表紙は、選択された給紙トレイから送り出され、給紙ローラ２２Ａ、２２Ｂ、２２Ｃ、レジストローラ２３等を経て転写手段７Ａに搬送され、画像データに応じて裏表紙上に画像を転写され、定着装置３６、搬送ローラ３７Ｂ、排紙ローラ３７Ｃを経て排紙トレイ３７Ｄまで搬送されて積載される（ステップＳ５３）。
【０１２４】
続いて、用紙ＰにＮページ目から始まる画像形成を行った（ステップＳ５４）後、制御部３０は、Ｎページ目以降の画像形成時に画像データ３４９が１ページ目に達したかどうかを確認し（ステップＳ５５）、１ページ目に達していないとき（ステップＳ５５否定）にはステップＳ５４に戻って画像形成を継続し（ステップＳ５４）、１ページ目に達したとき（ステップＳ５５肯定）にはステップＳ５６に進む。ステップＳ５６において、用紙Ｐの１ページ目に画像データ３４９に基づいて画像形成が行われる（ステップＳ５６）。
【０１２５】
次に表紙は、予め選択した給紙トレイから送り出され、給紙ローラ２２Ａ、２２Ｂ、２２Ｃ、レジストローラ２３等を経て転写手段７Ａに搬送され、転写手段７Ａにて画像データと断裁マークとを合成した画像を転写され（ステップＳ５３）、定着装置３６で定着され、搬送ローラ３７Ｂ及び排紙ローラ３７Ｃにより搬送されて排紙トレイ３７Ｄに積載される（ステップＳ５７）。
【０１２６】
ステップＳ５１において、表紙が画像形成順の最初に挿入されるとき（ステップＳ５１肯定）にはステップＳ５８に進み、制御部３０は、画像形成部３１に指令を発し、表紙を選択した給紙トレイから送り出させ、給紙ローラ２２Ａ、２２Ｂ、２２Ｃ、レジストローラ２３を経て転写手段７Ａへと搬送し、転写手段７Ａにて画像データに基づく画像を転写させた後、定着装置３６で定着させ、搬送ローラ３７Ｂ及び排紙ローラ３７Ｂに搬送させて排紙トレイ３７Ｄ上に積載させる（ステップＳ５８）。
【０１２７】
続いて、用紙Ｐに１ページ目から継続して行う画像形成を行った（ステップＳ５９）後、制御部３０は、画像データ３４９が最終ページ（Ｎページ目）に達したかどうかを判断し（ステップＳ６０）、最終ページに達していないとき（ステップＳ６０否定）にはステップＳ５９に戻って画像形成を継続し（ステップＳ５９）、最終ページに達したとき（ステップＳ６０肯定）にはステップＳ６１に進む。
【０１２８】
次いで、裏表紙を挿入するかどうか（ステップＳ６１）を給紙トレイ選択ボタン及びインターシート位置選択ボタンにより選択し、決定ボタンにより確定する。裏表紙を挿入するとき（ステップＳ６１肯定）にはステップ６３に進み、挿入しないとき（ステップＳ６１否定）にはステップ６２に進む。
【０１２９】
裏表紙を挿入しないときは、用紙Ｐの最終ページに画像データと断裁マークとを合成して画像形成を行い、画像形成を終える（ステップＳ６２）。
【０１３０】
裏表紙を挿入するときは、裏表紙に画像データと断裁マークとを合成して画像形成を行い、画像形成を終える（ステップＳ６３）。
【０１３１】
表紙又は裏表紙が用紙束の排出、積載後に排出される場合のインターシートモードにおいては、制御部３０は画像形成部３１に、断裁マークの付与が表紙のみ又は裏表紙のみに実施されるように指令する構成となっているため、他の用紙に断裁マークの跡が残ることを防止できる。
【０１３２】
次に、ソートモードにおいて、用紙Ｐに断裁マークを付与する場合の動作について、図８、図９、図１１（ａ）、図１７、及び図１８を用いて説明する。本実施の形態におけるソートモードは、用紙Ｐに対しシフト排紙部３７０を用いて用紙束毎にシフト排紙するが、用紙束毎の最終画像形成ページのみに断裁マークを付与するソートモード１と、用紙束毎の画像形成開始ページのみに断裁マークを付与するソートモード２とからなる。
【０１３３】
図１７は、本発明に係るソートモードの第１の実施形態であるソートモード１における用紙Ｐに断裁マークを付与する動作を説明するためのフローチャートである。ソートモード１は、図１４又は図１５に示すフローチャートにおいて、オペレータがソートモードを所望する（ステップＳ６、Ｓ１１、又はＳ３３における肯定）ときに選択されるモードであり、図１７に示すフローチャートは、シフト排紙される用紙束毎の最終画像形成ページのみに断裁マークを付与する動作の手順について説明するためのフローチャートである。
【０１３４】
ソートモード１は、図９に示す表示画面３９Ａにおいて、オペレータが両面モードを選択し、更にソートモード選択ボタン４１Ａを押すことにより選択され、操作部３９には図１１（ａ）に示す表示画面３９Ｃが表示される（ステップＳ７０）。
【０１３５】
オペレータは、表示画面３９Ｃにより、所望するシフト排紙枚数がシフト排紙設定枚数表示４１Ｃに表示されている枚数以内であるかどうかを確認し（ステップＳ７１）、表示されている枚数以内であれば（ステップＳ７１肯定）決定ボタンを押してステップＳ７２に進み、表示されている枚数を超えているときは（ステップＳ７１否定）ステップＳ７８に進む。
【０１３６】
ステップＳ７２において、制御部３０は、シフト単位毎のＮページ目（開始ページ）からの画像形成を開始し（ステップＳ７２）、続いて、それ以降の画像形成を継続し、図８（ａ）に示す所望するシフト排紙枚数でのシフト排紙を行う（ステップＳ７３）。次いで、制御部３０は、画像形成され、シフト排紙される用紙Ｐがシフト単位毎の１ページ目（最終ページ）に達するかどうかを確認し（ステップＳ７４）、最終ページに達するとき（ステップＳ７４肯定）にはステップＳ７５に進み、最終ページに達していないとき（ステップＳ７４否定）にはステップＳ７３に戻る。
【０１３７】
最終ページに達するときには、図８（ａ）に示すように、最終ページ（１ページ目）に画像データと断裁マークとを合成した画像を形成する（ステップＳ７５）。
【０１３８】
次に、制御部３０は、ジョブデータ３４１に基づくジョブが所定の部数の画像形成を終了したかどうかを確認し（ステップＳ７６）、終了したとき（ステップＳ７６肯定）にはそのジョブを終了させる（ステップＳ７７）。終了していないとき（ステップＳ７６否定）にはステップＳ７２に戻る。
【０１３９】
ステップＳ７１において、所望するシフト排紙枚数がシフト排紙設定枚数表示４１Ｃに表示されている枚数を超えているときは（ステップＳ７１否定）ステップＳ７８に進み、制御部３０は、図１１（ａ）に示す表示画面３９Ｃ上のシフト排紙設定枚数表示４１Ｃに表示された設定枚数に基づいてシフト排紙枚数を再設定し、画像形成部３１に対し、用紙Ｐをシフト排紙させる指令を発する（ステップＳ７８）。
【０１４０】
なお、ステップＳ７８において、オペレータがシフト排紙枚数設定ボタン４０Ｃにより手動でシフト排紙設定枚数を設定することも可能である。即ち、シフト排紙枚数設定ボタン４０Ｃを押し、操作部３９の図示しないテンキーを用いてシフト排紙枚数を所望する枚数に再設定することができる。
【０１４１】
制御部３０は、シフト単位毎のＮページ目（開始ページ）からの画像形成を開始し（ステップＳ７９）、続いて、それ以降の用紙への画像形成を継続し、再設定したシフト排紙枚数でのシフト排紙を行う（ステップＳ８０）。
【０１４２】
次いで、制御部３０は、画像形成され、シフト排紙される用紙Ｐがシフト単位毎の１ページ目（最終ページ）に達するかどうかを確認し（ステップＳ８１）、最終ページに達するとき（ステップＳ８１肯定）にはステップＳ８２に進み、最終ページに達していないとき（ステップＳ８１否定）にはステップＳ８０に戻る。
【０１４３】
最終ページに達するときには、図８（ａ）に示すように、最終ページ（１ページ目）に画像データと断裁マークとを合成した画像を形成する（ステップＳ８２）。
【０１４４】
次に、制御部３０は、ジョブデータ３４１に基づくジョブが所定の部数の画像形成を終了したかどうかを確認し（ステップＳ８３）、終了したとき（ステップＳ８３肯定）にはそのジョブを終了させる（ステップＳ８４）。終了していないとき（ステップＳ８３否定）にはステップＳ７９に戻る。
【０１４５】
次に、本発明に係るソートモードの第２の実施形態であるソートモード２における用紙Ｐに断裁マークを付与する動作について、図８（ｂ）、図９、図１１（ｂ）、及び図１８を用いて説明する。
【０１４６】
図１８は、ソートモード２における用紙Ｐに断裁マークを付与する動作を説明するためのフローチャートである。ソートモード２は、図１５に示す片面モードの場合のフローチャートにおいて、オペレータがソートモードを所望する（ステップＳ３７における肯定）ときに選択されるモードであり、図１８に示すフローチャートは、シフト排紙される用紙束毎の画像形成開始ページ（１ページ目）のみに断裁マークを付与する動作の手順について説明するためのフローチャートである。
【０１４７】
ソートモード２は、図９に示す表示画面３９Ａにおいて、オペレータが片面モードを選択し、更に、ソートモード選択ボタン４１Ａを押すことにより選択され、操作部３９には図１１（ｂ）に示す表示画面３９Ｄが表示される（ステップＳ９０）。
【０１４８】
オペレータは、表示画面３９Ｄにより、所望するシフト排紙枚数がシフト排紙設定枚数表示４１Ｄに表示されている枚数以内であるかどうかを確認し（ステップＳ９１）、表示されている枚数以内であれば（ステップＳ９１肯定）決定ボタンを押してステップＳ９２に進み、表示されている枚数を超えているときは（ステップＳ９１否定）ステップＳ９８に進む。
【０１４９】
ステップＳ９２において、制御部３０は、用紙Ｐに対し、シフト単位毎の１ページ目（画像形成開始ページ）からの画像形成を開始し、図８（ｂ）に示すように、１ページ目に画像データと断裁マークとを合成した画像を形成して、再搬送手段３８にて反転排紙させて排紙トレイ３７Ｄに積載する（ステップＳ９２）。続いて、２ページ目以降の画像形成を継続し、図８（ｂ）に示す所望するシフト排紙枚数でのシフト排紙を行う（ステップＳ９３）。次いで、制御部３０は、画像形成され、シフト排紙される用紙Ｐがシフト単位毎の最終ページ（Ｎページ目）に達するかどうかを確認し（ステップＳ９４）、最終ページに達するとき（ステップＳ９４肯定）にはステップＳ９５に進み、最終ページに達しないとき（ステップＳ９４否定）にはステップＳ９３に戻る。
【０１５０】
最終ページに達するときには、制御部３０は、ジョブデータ３４１に基づくジョブが所定の部数の画像形成を終了したかどうかを確認し（ステップＳ９５）、終了したとき（ステップＳ９５肯定）にはそのジョブを終了させる（ステップＳ９６）。終了していないとき（ステップＳ９５否定）にはステップＳ９２に戻る。
【０１５１】
ステップＳ９１において、所望するシフト排紙枚数がシフト排紙設定枚数表示４１Ｄに表示されている枚数を超えているときは（ステップＳ９１否定）ステップＳ９７に進み、制御部３０は、図１１（ｂ）に示す表示画面３９Ｄ上のシフト排紙設定枚数表示４１Ｄに表示された設定枚数に基づいてシフト排紙枚数を再設定し、画像形成部３１に対し、用紙Ｐをシフト排紙させる指令を発する（ステップＳ９７）。
【０１５２】
なお、ステップＳ９７において、オペレータがシフト排紙枚数設定ボタン４０Ｄにより手動でシフト排紙設定枚数を設定することも可能である。即ち、シフト排紙枚数設定ボタン４０Ｄを押し、操作部３９の図示しないテンキーを用いてシフト排紙枚数を所望する枚数に再設定することができる。
【０１５３】
制御部３０は、画像形成部３１に対し、シフト単位毎の１ページ目（画像形成開始ページ）に、画像データ３４９と断裁マークとを合成した画像を形成させ、再搬送手段３８にて用紙Ｐを反転して排紙トレイ上に排出させ、積載させる（ステップＳ９８）。
【０１５４】
続いて、制御部３０は、画像形成部３１に対し、用紙Ｐへの２ページ目以降の画像形成を継続させ、図８（ｂ）に示すように、シフト単位毎の１ページ目（下面）に画像データ３４９と断裁マークとを合成した画像を形成した用紙を含むシフト排紙を行わせる（ステップＳ９９）。次いで、制御部３０は、画像形成され、シフト排紙される用紙Ｐがシフト単位毎の最終ページ（Ｎページ目）に達するかどうかを確認し（ステップＳ１００）、最終ページに達するとき（ステップＳ１００肯定）にはステップＳ１０１に進み、最終ページに達しないとき（ステップＳ１００否定）にはステップＳ９９に戻る。
【０１５５】
最終ページに達するときには、制御部３０は、ジョブデータ３４１に基づくジョブが所定の部数の画像形成を終了したかどうかを確認し（ステップＳ１０１）、終了したとき（ステップＳ１０１肯定）にはそのジョブを終了させる（ステップＳ１０２）。終了していないとき（ステップＳ１０１否定）にはステップＳ９８に戻る。
【図面の簡単な説明】
【０１５６】
【図１】本発明の実施形態に係る画像形成装置を含むシステム構成について説明するためのブロック図である。
【図２】本発明の実施形態に係る画像形成装置の全体構成図である。
【図３】本発明の実施形態に係るシフト排紙部３７０の構成及び動作を説明するための側断面図である。
【図４】本発明の実施形態に係る画像形成装置３の制御系に関するブロック図である。
【図５】断裁マークメモリ３４６による、断裁マークの添付動作を模式的に示した図である。
【図６】本発明に係る実施形態である用紙両面への画像形成時における画像形成の順序と断裁マークを付与される面との関係について説明するための模式的斜視図である。
【図７】本発明に係る実施形態である用紙片面のみへの画像形成時の画像形成の順序と断裁マークを付与される面との関係について説明するための模式的斜視図である。
【図８】本発明に係る実施形態であるソートモードにおいて、シフト排紙された用紙と断裁マークが付与される面との関係について説明するための模式的斜視図である。
【図９】本発明の実施形態に係る操作部３９の表示部に表示される表示画面である。
【図１０】図９の表示画面の次画面である。
【図１１】図９の表示画面の次画面である。
【図１２】図１０の表示画面の次画面である。
【図１３】図１０の表示画面の次画面である。
【図１４】本発明の実施形態に係る画像形成装置３において、断裁マーク付与モードが選択されたときの動作を説明するためのフローチャートである。
【図１５】片面モードでの動作を説明するためのフローチャートである。
【図１６】インターシートモードにおいて、断裁マークを付与した表紙又は裏表紙を用紙束に挿入する動作の手順について説明するためのフローチャートである。
【図１７】ソートモードにおいて、シフト排紙する用紙に断裁マークを付与する動作の手順について説明するためのフローチャートである。
【図１８】ソートモードにおいて、シフト排紙する用紙に断裁マークを付与する動作の手順について説明するためのフローチャートである。
【符号の説明】
【０１５７】
１  ＰＣ
２  スキャナ
３  画像形成装置
４  ＬＡＮ
３Ｙ、３Ｍ、３Ｃ、３Ｋ  画像書込部
３ａ  制御手段
２０  原稿読取装置
３０  制御部
３１  画像形成部
３２  画像処理部
３３  メモリ制御部
３４  画像メモリ部
３６  定着部
３７  排紙部
３８  再搬送手段
３９  操作部
３４１  ジョブデータ
３４２  断裁マーク情報
３４５  ページメモリ
３４６  断裁マークメモリ
３４９  画像データ
３７０  シフト排紙部（シフト排紙手段）
３７１  シフト排紙ローラ
３７Ｄ  排紙トレイ
Ｎ  画像デ−タのページ数
Ｐ  用紙
【図１】
2006315231.tif 000003
【図２】
2006315231.tif 000004
【図３】
2006315231.tif 000005
【図４】
2006315231.tif 000006
【図５】
2006315231.tif 000007
【図６】
2006315231.tif 000008
【図７】
2006315231.tif 000009
【図８】
2006315231.tif 000010
【図９】
2006315231.tif 000011
【図１０】
2006315231.tif 000012
【図１１】
2006315231.tif 000013
【図１２】
2006315231.tif 000014
【図１３】
2006315231.tif 000015
【図１４】
2006315231.tif 000016
【図１５】
2006315231.tif 000017
【図１６】
2006315231.tif 000018
【図１７】
2006315231.tif 000019
【図１８】
2006315231.tif 000020